(57)【要約】【課題】ペットをリード無しで遊ばせることが可能となり、日差しや雨等を遮断することが可能となるペット用組立サークルを提供する。【解決手段】本考案を適用したペット用組立サークル１は、ペットを屋外で遊ばせるためのものであって、展開又は折り畳み可能とされる芯材２１と、芯材２１に設けられて開口部２３が形成されるシート材２２とを有するとともに、屋外に設けられるテント部２と、テント部２の外側に設けられる複数の仕切材３１と、仕切材３１の側端３１ａ近傍に設けられて隣接する２つの仕切材３１が連結される連結部材３９とを有するとともに、仕切材３１が連結部材３９を介して展開又は折り畳み可能とされ、両端に配置された仕切材３１が開口部２３近傍に着脱可能に接続されることでテント部２の開口部２３の外側が囲われる囲い部３とを備えることを特徴とする。【選択図】図１
0003209469.tif 000002
【実用新案登録請求の範囲】
【請求項１】
ペットを屋外で遊ばせるためのペット用組立サークルであって、
展開又は折り畳み可能とされる芯材と、前記芯材に設けられて開口部が形成されるシート材とを有するとともに、屋外に設けられるテント部と、
前記テント部の外側に設けられる複数の仕切材と、前記仕切材の側端近傍に設けられて隣接する２つの前記仕切材が連結される連結部材とを有するとともに、前記仕切材が前記連結部材を介して展開又は折り畳み可能とされ、両端に配置された前記仕切材が前記開口部近傍に着脱可能に接続されることで前記テント部の前記開口部の外側が囲われる囲い部とを備えること
を特徴とするペット用組立サークル。
【請求項２】
前記テント部は、前記シート材に網目状又は格子状の窓部が形成され、
前記囲い部は、前記仕切材が網目状又は格子状に形成されること
を特徴とする請求項１記載のペット用組立サークル。
【考案の詳細な説明】
【技術分野】
【０００１】
本考案は、ペットを屋外で遊ばせるためのペット用組立サークルに関する。
【背景技術】
【０００２】
昨今のペットブームにより、ペットの飼育のための各種設備、用具、エサ等は一つの大きな産業になっている。飼い主がペットを戸外に連れ出したときには、リードを付けて制御できるようにしておく必要があるが、遊ばせる場所があれば一定の区域を限ってノーリードにしておくこともある。
【０００３】
犬と飼い主のための遊び場専用広場としてドッグランと呼ばれる施設があるものの、十分に普及しているとは言えず、気軽に利用できるものではない。そこで、広い場所があれば容易に設置、撤去できるものが求められる。
【０００４】
従来、ペットを屋外で遊ばせるためのものとして、例えば、特許文献１の開示技術が提案されている。
【０００５】
特許文献１に開示されたドッグラン用組立サークルは、線材の伸張力によって一定の形状に展開されるシート材から成るパネル要素と、パネル要素を複数個結合するために左右に設けられた結合手段と、所定長さの竿材を複数個継合わせて形成された継ぎ合わせ式のサークル枠と、複数個のパネル要素を結合手段によって結合し、また、継ぎ合わせ式のサークル枠と接続するためにパネル要素に設けた接続部から成ることを特徴とする。これにより、特許文献１に開示されたドッグラン用組立サークルは、広場に設置し、かつ、容易に撤去可能となる。
【０００６】
ところで近年、地球温暖化の影響により、夏場の最高気温が上昇し、熱中症等の被害が後を絶たない状況にある。熱中症は、人間のみならず、ペットにも起こり得るものであり、万が一、ペットが熱中症にかかってしまった場合には、人間同様、応急措置として日陰に入って休息をとる必要がある。また、短時間に急激に雨が降り注ぐゲリラ豪雨と呼ばれる現象も確認され、ペットを屋外で遊ばせているとき急激に雨が降った場合、一時的に退避できる場所が必要となる。
【０００７】
しかしながら、特許文献１に開示されたドッグラン用組立サークルは、特段日差しや雨等を遮断するものでない。このため、特許文献１に開示されたドッグラン用組立サークルは、ペットや飼い主が日差しに長時間晒されることにより、熱中症を起こしてしまうという問題点があった。また、一時的に雨が降った場合には、ペットや飼い主が雨に濡れてしまう虞があった。
【先行技術文献】
【特許文献】
【０００８】
【特許文献１】実用新案登録第３１５１３５０号公報
【考案の概要】
【考案が解決しようとする課題】
【０００９】
そこで、本考案は、上述した問題点に鑑みて案出されたものであり、その目的とするところは、ペットをリード無しで遊ばせることが可能となり、日差しや雨等を遮断することが可能となるペット用組立サークルを提供することにある。
【課題を解決するための手段】
【００１０】
第１考案に係るペット用組立サークルは、ペットを屋外で遊ばせるためのペット用組立サークルであって、展開又は折り畳み可能とされる芯材と、前記芯材に設けられて開口部が形成されるシート材とを有するとともに、屋外に設けられるテント部と、前記テント部の外側に設けられる複数の仕切材と、前記仕切材の側端近傍に設けられて隣接する２つの前記仕切材が連結される連結部材とを有するとともに、前記仕切材が前記連結部材を介して展開又は折り畳み可能とされ、両端に配置された前記仕切材が前記開口部近傍に着脱可能に接続されることで前記テント部の前記開口部の外側が囲われる囲い部とを備えることを特徴とする。
【００１１】
第２考案に係るペット用組立サークルは、第１考案において、前記テント部は、前記シート材に網目状又は格子状の窓部が形成され、前記囲い部は、前記仕切材が網目状又は格子状に形成されることを特徴とする。
【考案の効果】
【００１２】
第１考案によれば、ペットをリード無しで遊ばせることが可能となり、日差しや雨等を遮断することが可能となる。
【００１３】
特に、第２考案によれば、風が吹いたとき、テント部及び囲い部が転倒することなく地面に固定された状態を保つことが可能となる。
【図面の簡単な説明】
【００１４】
【図１】本考案を適用したペット用組立サークルを示す斜視図である。
【図２】（ａ）は、本考案を適用したペット用組立サークルにおいて、仕切材を示す図であり、（ｂ）は、その変形例を示す図である。
【図３】本考案を適用したペット用組立サークルにおいて、囲い部が展開又は折り畳まれることを示す図である。
【考案を実施するための形態】
【００１５】
以下、本考案を適用したペット用組立サークル１を実施するための形態について、図面を参照しながら詳細に説明する。
【００１６】
図１は、本考案を適用したペット用組立サークル１を示す斜視図である。
【００１７】
ペット用組立サークル１は、例えば、犬、猫、ウサギ、フェレット等の小型や中型のペットを屋外で遊ばせるためのものであって、例えば、公園等の広場、キャンプ場、河川敷、屋上等で用いられる。ペット用組立サークル１は、その内部に飼い主が立ち入ることも可能となるものである。
【００１８】
ペット用組立サークル１は、屋外に設けられるテント部２と、テント部２の外側が囲われる囲い部３とを備える。
【００１９】
テント部２は、展開又は折り畳み可能とされる２本の芯材２１と、芯材２１が設けられて面状に形成されるシート材２２とを有する。テント部２は、芯材２１が展開されることで、シート材２２が四方に配置されることとなり、その内側にシート材２２により上方と側方が覆われる空間Ｖ１が形成される。テント部２は、芯材２１の近傍に適宜ロープ９１が取り付けられ、ロープ９１の先端側に取り付けられる金属製又は樹脂製のピン９が地面Ｇに埋設されることで、地面Ｇに固定される。このようにテント部２は、例えば、キャンプ等で用いられる市販のいわゆるワンタッチテントによって具現化され、容易に組立と撤収を行うことが可能となり、人間が容易に持ち歩きできるものが望ましい。
【００２０】
芯材２１は、断面が円形状の長い弾力性を有する金属が用いられ、飼い主が手で持ち運びできる大きさにまで折り畳み可能に構成されることが望ましい。なお、芯材２１は、本実施の形態では、２本であるが、１本でもよく、また、３本以上で構成してもよい。１本で構成した場合であってもテント部２の強度を十分保持することが可能であるが、本実施の形態のように、２本とすることによってシート材２２を展開するようにするのが望ましい。
【００２１】
シート材２２は、例えば、ナイロンやポリエステル等の繊維素材が用いられ、非親水性の素材が用いられる。シート材２２は、開口部２３が形成されるシート材２２ａとし、窓部２４が形成されるシート材２２ｂ、２２ｃとする。シート材２２ａは、上下方向の中央付近よりも上側の部分から下端にかけて開口部２３が形成され、上端付近は空間Ｖ１の上方を覆うものとして配置される。シート材２２ｂは、シート材２２ａの両隣に配置され、下端付近に窓部２４が形成される。また、シート材２２ｂは、空間Ｖ１の上方を覆い、また空間Ｖ１の側方を囲うものとして配置される。シート材２２ｃは、シート材２２ａに対向させて配置され、上下方向の中央付近よりも上側から下端に窓部２４が形成される。シート材２２ｃは、空間Ｖ１の上方を覆い、また空間Ｖ１の側方を囲うものとして配置される。シート材２２は、中空状に形成された中空部２５が平面視中央付近で略直交するように縫製されている。
【００２２】
開口部２３は、その外側に形成される空間Ｖ２としたとき、空間Ｖ１と空間Ｖ２との間でペットや飼い主が通行できる程度の大きさで形成される。
【００２３】
窓部２４は、例えば、ナイロンやポリエステル等の繊維素材が用いられ、網目状又は格子状に形成されている。窓部２４は、空間Ｖ１とテント部２の外側との間で通気を行うためのものであり、ペットや飼い主が空間Ｖ１からテント部２の外側には通行できないものとなる。なお、窓部２４は、これと略同一の大きさのシート材２２が線ファスナー等により取り付けられることにより、通気を遮断することもできる。
【００２４】
中空部２５は、例えば、ナイロンやポリエステル等の繊維素材が用いられ、シート材２２に縫製される。中空部２５は、その内部に芯材２１が挿通される。
【００２５】
囲い部３は、テント部２の外側に設けられる複数の仕切材３１と、仕切材３１の側端３１ａ近傍に設けられて隣接する２つの仕切材３１が連結される連結部材３９とを有する。囲い部３は、仕切材３１の下端近傍にピン９が貫通され、地面Ｇに固定される。
【００２６】
囲い部３は、両端に配置された仕切材３１が開口部２３近傍に接続部材５を介して着脱可能に接続されることでテント部２の開口部２３の外側に形成される空間Ｖ２が囲われる。なお、この囲い部３は、５枚の仕切材３１が連結されているものを例示しているが、これに限定されることなく、仕切材３１が２枚以上であれば、如何なる枚数で構成されるものであってもよい。
【００２７】
図２（ａ）は、仕切材３１を示す図であり、図２（ｂ）は、その変形例を示す図である。
【００２８】
仕切材３１は、図２（ａ）に示すように、例えば、ナイロンやポリエステル等の繊維素材が用いられ、網目状に形成される。仕切材３１は、外形が略矩形状に形成され、４辺に中空状に縫いつけられたバイアステープ３３内に鉄等の金属製ワイヤーが用いられる線材３２が配置される。
【００２９】
仕切材４１は、図２（ｂ）に示すように、鉄等の金属製又は樹脂製のものが用いられ、格子状に形成されるものであってもよい。仕切材４１は、その格子の間隔がペットよりも小さくなるように形成される。これにより、風が吹いたときに、仕切材４１に作用する風圧を低減させることが可能となる。このため、ペット用組立サークル１は、転倒することなく、地面に固定させた状態を維持することが可能となる。なお、仕切材４１は、略矩形状の格子状のものに限定されず、三角格子状や多角形状の格子状に形成されるものであってもよい。
【００３０】
連結部材３９は、例えば、面ファスナーが用いられる。この他、連結部材３９は、結束バンド、紐、環状のリング等が用いられてもよく、このとき、仕切材３１の側端３１ａにはこれらを貫通させる孔が形成される。なお、連結部材３９は、隣接する２つの仕切材３１を連結する際には、面ファスナーと結束バンド等とを併用するものであってもよい。
【００３１】
接続部材５は、例えば、洗濯バサミが用いられる他、カラビナ、ボタン、面ファスナー等が用いられてもよい。
【００３２】
次に、本考案を適用したペット用組立サークル１の作用効果について説明する。
【００３３】
ペット用組立サークル１は、中空部２５に挿通させた芯材２１が展開されることで、シート材２２が四方に展開されるため、テント部２を容易に屋外に設置することが可能となる。そして、ペット用組立サークル１は、テント部２の開口部２３近傍に、仕切材３１を連結部材３９を介して展開した囲い部３が、接続部材５により着脱可能に接続される。このように、ペット用組立サークル１は、展開と折り畳みが容易なテント部２と囲い部３とを接続部材５により接続することにより組み立てられるものであるため、屋外での組立と撤収を容易に行うことが可能となる。
【００３４】
ペット用組立サークル１は、芯材２１を展開することでシート材２２により空間Ｖ１の上方が覆われることとなる。このため、ペット用組立サークル１は、日差しや雨等を遮ることが可能となり、ペットにとって居心地の良い場所を提供することが可能となる。加えて、ペット用組立サークル１は、ペットのみならず飼い主もこの空間Ｖ１で休息することが可能となるため、ペットと共に快適に屋外で過ごすことが可能となる。その結果、夏場の気温の高い時に、万が一ペットが熱中症を発症した場合でもすぐに日陰で休ませることが可能となる。また、急な雨が降った場合でもペットをこの空間Ｖ１に入れることにより、ペットが雨に濡れることなく待機することが可能となる。
【００３５】
ペット用組立サークル１は、テント部２の内側に形成される空間Ｖ１がシート材２２ｂ、２２ｃにより側方が囲われ、囲い部３の内側に形成される空間Ｖ２が複数の仕切材３１により囲われる。このため、ペット用組立サークル１は、空間Ｖ１と空間Ｖ２とにペットが放されたとき、空間Ｖ１と空間Ｖ２との外側にペットが脱出するのを防止することが可能となる。このため、ペット用組立サークル１は、リードを使用することなくペットを屋外で遊ばせることが可能となり、リードが絡むことによるペットの怪我を防止することが可能となる。また、ペット用組立サークル１は、空間Ｖ１と空間Ｖ２とがシート材２２ｂ、２２ｃ、仕切材３１により囲われることにより、仕切材３１の外側にいる子供が仕切材３１に近づいたとしても、ペットに噛みつかれるのを防止することが可能となる。
【００３６】
また、ペット用組立サークル１は、仕切材３１が網目状に形成され、窓部２４が網目状又は格子状に形成されることによって、風が吹いたときに、網目状の仕切材３１と網目状又は格子状の窓部２４とを風が通り抜けるため、仕切材３１及びシート材２２に作用する風圧を低減させることが可能となる。このため、ペット用組立サークル１は、転倒することなく、地面Ｇに固定させた状態を維持することが可能となる。
【００３７】
ペット用組立サークル１は、展開又は折り畳み可能とされる２本の芯材２１と、芯材２１が設けられて面状に形成されるシート材２２とを有するいわゆるワンタッチテントが用いられ、人間が容易に持ち歩きできる。また、ペット用組立サークル１は、図３に示すように、仕切材３１が連結部材３９を介して図中矢印Ｔ方向に展開又は折り畳み可能とされる。これにより、ペット用組立サークル１は、折り畳まれた囲い部３を人間が容易に持ち歩くことが可能となる。このため、ペット用組立サークル１は、飼い主自身の手でテント部２と囲い部３とを容易に持ち運ぶことが可能となり、例えば車等にも容易に積み込むことが可能となる。その結果、ペット用組立サークル１は、例えば、公園等の広場、キャンプ場、河川敷、屋上等で手軽に用いることが可能となる。
【００３８】
以上、本考案の実施形態の例について詳細に説明したが、上述した実施形態は、何れも本考案を実施するにあたっての具体化の例を示したものに過ぎず、これらによって本考案の技術的範囲が限定的に解釈されてはならないものである。
【符号の説明】
【００３９】
１      ：ペット用組立サークル
２      ：テント部
３      ：囲い部
５      ：接続部材
９      ：ピン
２１    ：芯材
２２    ：シート材
２２ａ  ：シート材
２２ｂ  ：シート材
２２ｃ  ：シート材
２３    ：開口部
２４    ：窓部
２５    ：中空部
３１    ：仕切材
３１ａ  ：側端
３２    ：線材
３３    ：バイアステープ
３９    ：連結部材
４１    ：仕切材
９１    ：ロープ
Ｇ      ：地面
Ｖ１    ：空間
Ｖ２    ：空間
【図１】
0003209469.tif 000003
【図２】
0003209469.tif 000004
【図３】
0003209469.tif 000005